(57)【要約】【課題】  無停電電源装置の出力部から負荷側へ接続されるケーブルを外すとき、又は取り付けるときに、作業者にかかる負担を軽減することができ、作業効率の向上を実現することができる無停電電源装置を提供する。【解決手段】  商用電源から供給される電力を蓄電するバッテリーを備え、電源障害が発生したときにバッテリーから負荷に対して電力を提供する無停電電源装置であって、負荷に対して供給する電力の出力部を前面パネルに配置する。【選択図】  図２
2008125238.tif 000002
【特許請求の範囲】
【請求項１】
商用電源から供給される電力を蓄電するバッテリーを備え、
電源障害が発生したときに前記バッテリーから負荷に対して電力を提供する無停電電源装置であって、
前記負荷に対して供給する電力の出力部が前面パネルに配置されていることを特徴とする無停電電源装置。
【請求項２】
背面パネルに、前記商用電源から供給される電力の入力部が配置されていることを特徴とする請求項１に記載の無停電電源装置。
【請求項３】
前記出力部を複数備え、前記複数の出力部のうちの少なくとも一部が前記前面パネルに配置されていることを特徴とする請求項１又は請求項２に記載の無停電電源装置。
【請求項４】
前記出力部は、前記前面パネル及び前記背面パネルに配置され、切替回路により前記前面パネル及び前記背面パネルに配した前記出力部の一方又は双方に電力を供給することを特徴とする請求項３に記載の無停電電源装置。
【請求項５】
前記前面パネルに、外部の監視装置と接続するための通信ポートが配置されていることを特徴とする請求項１乃至請求項４のうち、いずれか１に記載の無停電電源装置。
【請求項６】
オンライン方式であることを特徴とする請求項１乃至請求項５のうち、いずれか１に記載の無停電電源装置。
【請求項７】
ラインインタラクティブ方式であることを特徴とする請求項１乃至請求項５のうち、いずれか１に記載の無停電電源装置。
【請求項８】
オフライン方式であることを特徴とする請求項１乃至請求項５のうち、いずれか１に記載の無停電電源装置。
【発明の詳細な説明】
【技術分野】
【０００１】
本発明は、電源障害発生時に負荷に対して電力を提供する無停電電源装置に関する。
【背景技術】
【０００２】
商用電源から供給される電力によって動作する電子機器（例えばパーソナルコンピュータ）においては、商用電源に障害が発生した場合に、データの損失、ハードウエアの損傷その他のトラブルが生じることを防止すべく、商用電源と電子機器との間に無停電電源装置を配置して、電源障害発生時にも電子機器に対して安定して電力を供給するという対策がとられる。この無停電電源装置は、商用電源から供給される電力の入力部を背面パネルに配したものであり、入力された電力を電子機器等の負荷へ出力するとともに、電源障害発生時に電力を出力するために、内蔵されたバッテリーに電力を蓄電する。
【０００３】
【特許文献１】意匠登録第１０７４１７９号
【特許文献２】意匠登録第１２５１７３８号
【特許文献３】意匠登録第１０９９８４６号
【特許文献４】意匠登録第１０９５３２６号
【特許文献５】意匠登録第１０９６７７７号
【特許文献６】意匠登録第１２６１２８２号
【特許文献７】意匠登録第１０７８４３２号
【発明の開示】
【発明が解決しようとする課題】
【０００４】
しかしながら、上述の無停電電源装置においては、電子機器に対して電力を供給するための出力部（例えばコンセント）が背面パネルに配置されていることから、例えば、電力を供給する電子機器をほかの電子機器に変更する場合には、無停電電源装置の出力部から電子機器へ接続されるケーブルを外すために、重量の大きな無停電電源装置を動かして背面パネルを作業者側に向けなければならず、作業者に負担がかかるとともに、作業に多くの時間を要していた。このような課題は、１つのラックに複数の無停電電源装置を載置した場合に顕著であって、さらに、このようなラックを並置した環境下では、無停電電源装置の向きを変えることは非常に困難であった。
【０００５】
そこで本発明は、無停電電源装置の出力部から負荷側へ接続されるケーブルを外すときに、作業者にかかる負担を軽減し、作業効率の向上を実現することのできる無停電電源装置を提供することを目的とする。
【課題を解決するための手段】
【０００６】
上記課題を解決するために、本発明の無停電電源装置においては、商用電源から供給される電力を蓄電するバッテリーを備え、電源障害が発生したときにバッテリーから負荷に対して電力を提供する無停電電源装置であって、負荷に対して供給する電力の出力部が前面パネルに配置されていることを特徴としている。
【０００７】
本発明の無停電電源装置においては、背面パネルに、商用電源から供給される電力の入力部が配置されていることを特徴とする。
【０００８】
本発明の無停電電源装置において、出力部は、前面パネル及び背面パネルに配置され、切替回路により前面パネル及び背面パネルに配した出力部の一方又は双方に電力を供給することを特徴とする。
【０００９】
本発明の無停電電源装置においては、出力部を複数備え、複数の出力部のうちの少なくとも一部が前面パネルに配置されていることを特徴とする。
【００１０】
本発明の無停電電源装置においては、前面パネルに、外部の監視装置と接続するための通信ポートが配置されていることを特徴とする。
【００１１】
本発明の無停電電源装置は、オンライン方式であることを特徴とする。
【００１２】
本発明の無停電電源装置は、ラインインタラクティブ方式であることを特徴とする。
【００１３】
本発明の無停電電源装置は、オフライン方式であることを特徴とする。
【発明の効果】
【００１４】
本発明によると、負荷に対して供給する電力の出力部を前面パネルに配置したことにより、無停電電源装置の出力部から負荷側へ接続されるケーブルを外すとき、又は取り付けるときに、作業者にかかる負担を軽減することができ、作業効率の向上を実現することができる。
【発明を実施するための最良の形態】
【００１５】
以下、本発明を、ラインインタラクティブ方式の無停電電源装置に適用した場合の実施形態について図面を参照しつつ詳しく説明する。本実施形態にかかる無停電電源装置１０は、通常時は商用交流電源１１からの電力を、電源トランス１４を介して安定化させた状態で負荷へ出力し、電源障害発生時にはバッテリー１６からの電源供給に切り替えるものである。ここで、図１は、本実施形態に係る無停電電源装置１０の内部構成を示すブロック図である。図２は、無停電電源装置１０の前面パネル１０Ａの構成を示す正面図である。
【００１６】
図１に示すように、本実施形態に係る無停電電源装置１０は、外部の商用交流電源（商用電源）１１より交流の電力が入力される電源入力部（入力部）１２と、この電源入力部１２からの交流電力に含まれるノイズを軽減するためのノイズフィルタ１３と、負荷（例えば、パーソナルコンピュータ等の電子機器、その他の機器）３０に対して交流電力を出力する電源トランス１４と、バッテリー１６の充電及びバッテリー１６からの直流を交流に変換するインバータ１５と、インバータ１５からの直流電力の蓄電を行うバッテリー１６と、電源トランス１４からの電力を負荷３０に供給する電源出力部１８と、無停電電源装置１０の動作状態の監視等を行うＳＭＴ回路（ステータスモニター回路）１７と、を備える。電源入力部１２は、無停電電源装置１０の背面パネル１０Ｂに設けられている。
【００１７】
電源出力回路によって構成される電源出力部１８から負荷３０への交流電源の出力及びＳＭＴ回路１７からの信号の外部への出力は、無停電電源装置１０の前面パネル１０Ａに設けられたコネクタ（出力部）２４及び通信ポート２３を介して行われる。ここで、本実施形態では、負荷３０は二つ配置され、それぞれの負荷３０に電力を出力するために、電源出力部１８からの出力は二つに分岐されて、前面パネル１０Ａに配置された二つのコネクタ２４に接続されている。なお、前面パネル１０Ａに配置するコネクタ２４の数は、負荷３０の数に応じて一つでも良いし、３以上設けることができる。
【００１８】
また、一部のコネクタを背面パネル１０Ｂに、残りのコネクタを前面パネル１０Ａに、配置することもできる。この場合は、例えば電源出力部１８に切替回路を内蔵させて、この切替回路によって、前面パネル１０Ａ上のコネクタ２４と背面パネル１０Ｂ側に設けたコネクタへの出力を切り替えることが好ましい。これにより、適切な電力量の出力を両パネル上のコネクタの一方又は双方に対して行うことができる。
【００１９】
図２に示すように、前面パネル１０Ａには、通信ポート２３及びコネクタ２４のほかに、無停電電源装置１０の内部を冷却するための通風口２５、無停電電源装置１０の動作を制御するための操作パネル２６、及び、商用交流電源１１から過大な電流が入力されたときに内部回路（不図示）により遮断された電源供給を再開するためのブレーカーボタン２７が配置されている。
【００２０】
ＳＭＴ回路１７は、無停電電源装置１０の動作状態を監視して、監視した状態を示す信号を、外部に配置された監視装置（例えば、パーソナルコンピュータ）３２に送信するためのものである。このＳＭＴ回路１７には、無停電電源装置１０に入力される商用交流電源１１の電圧、負荷３０に流れている負荷電流、バッテリー１６の電圧その他の情報を示す信号が入力される。入力された信号は、ＳＭＴ回路１７により、シリアル信号に変換され、ケーブルを介して通信ポート２３に接続された監視装置３２に送信される。なお、監視装置３２は、負荷３０としてのパーソナルコンピュータとしてもよい。
【００２１】
監視装置３２は、電源管理ソフトウエアを内蔵することが好ましく、この電源管理ソフトウエアは無停電電源装置１０とデータを交換することができる。監視装置３２は、無停電電源装置１０の電力状態情報を取得するために無停電電源装置１０へポーリングを行うことができる。例えば負荷３０がパーソナルコンピュータである場合、監視装置３２は、電源障害が発生したときに（例えば商用交流電源１１に異常が生じた場合）に、パーソナルコンピュータのＯＳに対してシャットダウンを要求し、その後接続された機器を順序正しくシャットダウンする。
【００２２】
以上のように構成されたことから、上記実施形態によれば、負荷３０に対して電力を供給するコネクタ２４を前面パネル１０Ａに配置したことにより、無停電電源装置１０のコネクタ２４から負荷３０側へ接続されるケーブルの取り付け、及び取り外し作業時に、作業者にかかる負担を軽減することができ、作業効率の向上を実現することができる。
【００２３】
また、前面パネル１０Ａに通信ポート２３を配したことにより、監視装置３２と接続するためのケーブルの抜き差し作業の効率が向上するため、監視装置３２の変更などを容易に行うことができる。
【００２４】
さらにまた、ブレーカーボタン２７を前面パネル１０Ａ上に配置したため、無停電電源装置１０へ過大電力が入力されて電力供給が停止したときに直ちに復旧作業を行うことができる。
【００２５】
以上の説明では、本発明をラインインタラクティブ方式の無停電電源装置に適用していたが、通常時及び電源障害発生時のいずれにおいてもインバータ経由で負荷に電源を供給するオンライン方式の無停電電源装置や、通常時は商用交流電源からの電力をそのまま負荷へ出力し、電源障害発生時にはバッテリーからの電源供給に切り替えるオフライン方式の無停電電源装置にも、本発明は適用可能である。
【００２６】
また、商用交流電源１１に代えて、直流電源を用いることもできる。この場合は、無停電電源装置の内部に設けたＤＣ／ＡＣインバータによって交流とされた電力を負荷へ出力する。
【００２７】
さらに、前面パネル１０Ａに、増設バッテリーモジュールへの増設バッテリー・コネクタを配置すると、増設バッテリーモジュールの追加・削減作業や、増設バッテリーモジュール内のバッテリー交換作業が容易となるため好ましい。
【００２８】
また、ネットワーク通信機器（例えば、モデム、ファクシミリ等の個別の電源が不要であり、通信ケーブルからの給電が可能である機器）への電源供給も可能な無停電電源装置である場合は、ネットワーク通信機器と接続するためのポートを前面パネル１０Ａに設けて、通信ケーブルを接続可能とすると、ネットワーク通信機器の新設、増設、削減のための作業効率を向上させることができる。
【００２９】
本発明について上記実施形態を参照しつつ説明したが、本発明は上記実施形態に限定されるものではなく、改良の目的または本発明の思想の範囲内において改良または変更が可能である。
【図面の簡単な説明】
【００３０】
【図１】本発明の実施形態に係る無停電電源装置の内部構成を示すブロック図である。
【図２】本発明の実施形態に係る無停電電源装置の前面パネルの構成を示す斜視図である。
【符号の説明】
【００３１】
１０    無停電電源装置
１０Ａ  前面パネル
１０Ｂ  背面パネル
１１    商用交流電源（商用電源）
１２    電源入力部（入力部）
１４    電源トランス
１５    インバータ
１６    バッテリー
２３    通信ポート
２４    コネクタ（出力部）
２５    通風口
２６    操作パネル
２７    ブレーカーボタン
３０    負荷
３２    監視装置
【図１】
2008125238.tif 000003
【図２】
2008125238.tif 000004